(57)【要約】      （修正有）【課題】運動性能の向上を図るためにフィンに取り付ける補助フィン、その補助フィンを取り付けられたフィン又はそのフィンを備えたサーフボードを提供すること。【解決手段】運動性能の向上を図るためにサーフボード１００のフィン１０に取り付けるサーフボード１００用の補助フィン１１であって、前記フィン１０のベース幅に対して３０％から７０％であり、前記フィン１０の高さに対して３０％から５０％であり、厚さが０．１ｍｍから５ｍｍの間のフィルム形状であり、前記フィン１０のベース近傍に配置される、ことを特徴とする。【選択図】図１
2016124417.tif 000002
【特許請求の範囲】
【請求項１】
運動性能の向上を図るためにサーフボードのフィンに取り付けるサーフボード用の補助フィンであって、
前記フィンのベース幅に対して３０％から７０％であり、前記フィンの高さに対して３０％から５０％であり、厚さが０．１ｍｍから５ｍｍの間のフィルム形状であり、
前記フィンのベース近傍に配置される、
ことを特徴とする補助フィン。
【請求項２】
ポリエステル樹脂、ポリアミド樹脂、ポリエチレン樹脂、ポリプロピレン樹脂、ポリアクリレート樹脂、ポリカーボネート樹脂、ＡＢＳ樹脂、フッ素樹脂及び／又はポリ塩化ビニル樹脂のフィルムである、ことを特徴とする請求項１に記載の補助フィン。
【請求項３】
請求項１又は請求項２に記載の補助フィンを取り付けられたサーフボード用のフィン。
【請求項４】
前記補助フィンは、接着剤若しくは貼着剤を介して、又は、積層されたフィン部材の間隙に挟み込んで固定される、ことを特徴とする請求項３に記載のサーフボード用のフィン。
【請求項５】
前記補助フィンは、フィン部材と一体的に成形される、ことを特徴とする請求項３に記載のサーフボード用のフィン。
【請求項６】
請求項３乃至請求項５のいずれか一項に記載のフィンを含むサーフボード。
【発明の詳細な説明】
【技術分野】
【０００１】
本発明は、サーフボード用の補助フィンに関する。また、本発明は、スピード及び方向転換などの運動性能の向上を図るために取り付ける補助フィン、補助フィンを取り付けられたフィン及びそのフィンを備えたサーフボードに関するものであってもよい。
【背景技術】
【０００２】
特許文献１では、サーフボードの支持板に設けた支持溝の先部に押圧スプリングを取り付け、また後部に固定ピンを配置すると共に、支持溝は後部上端から底部の押圧スプリングに至るガイド溝を設け、フィンの先部に突出部を設けると共に、後部に凹部を配置することにより、突出部をガイド溝に沿ってフィンを進入し、押圧スプリングの押圧方向に掛る力を固定ピンに嵌入した凹部に掛けることで、フィンをサーフボードに着脱自在にしたフィンの取付構造に関する技術を開示している。
【先行技術文献】
【特許文献】
【０００３】
【特許文献１】特開２０１２−２５０６５８号公報
【発明の概要】
【発明が解決しようとする課題】
【０００４】
しかしながら、特許文献１には、スピード及び方向転換などの運動性能の向上を図るために、フィンに補助フィンを取り付ける技術が記載されていない。また、特許文献１に開示されている技術では、フィンに補助フィンを取り付ける場合に、フィンの取付構造が複雑になる場合がある。
【０００５】
本発明は、運動性能の向上を図るためにフィンに取り付ける補助フィン、その補助フィンを取り付けられたフィン又はそのフィンを備えたサーフボードを提供することを目的とする。
【課題を解決するための手段】
【０００６】
上記課題を解決するために、本発明の一つの実施形態は、運動性能の向上を図るためにサーフボードのフィンに取り付けるサーフボード用の補助フィンであって、前記フィンのベース幅に対して３０％から７０％であり、前記フィンの高さに対して３０％から５０％であり、厚さが０．１ｍｍから５ｍｍの間のフィルム形状であり、前記フィンのベース近傍に配置される、ことを特徴とする補助フィンを提供する。また、ポリエステル樹脂、ポリアミド樹脂、ポリエチレン樹脂、ポリプロピレン樹脂、ポリアクリレート樹脂、ポリカーボネート樹脂、ＡＢＳ樹脂、フッ素樹脂及び／又はポリ塩化ビニル樹脂のフィルムである、ことを特徴とする上記の補助フィンであってもよい。また、本発明の他の実施形態は、上記の補助フィンを取り付けられたサーフボード用のフィンであってもよい。また、前記補助フィンは、接着剤若しくは貼着剤を介して、又は、積層されたフィン部材の間隙に挟み込んで固定される、ことを特徴とするサーフボード用のフィンであってもよい。また、前記補助フィンは、フィン部材と一体的に成形される、ことを特徴とするサーフボード用のフィンであってもよい。また、本発明の他の実施形態は、前記のいずれか一つのフィンを含むサーフボードであってもよい。
【発明の効果】
【０００７】
本発明に係るサーフボード用の補助フィン、補助フィンを取り付けられたフィン及びそのフィンを備えたサーフボードによれば、サーフボードの運動性能を向上することができる。
【図面の簡単な説明】
【０００８】
【図１】本発明の実施形態に係るサーフボードの一例を示す概略外観図である。
【図２】本発明の実施形態に係る補助フィンを取り付けたフィンの一例を説明する拡大図である。
【図３】本発明の実施形態に係る補助フィンの取り付け方法の一例を説明する説明図である。
【図４】本発明の実施例に係る補助フィンを取り付けたサーフボードの一例を説明する説明図である。
【発明を実施するための形態】
【０００９】
実施形態に係るサーフボード用の補助フィン、フィン及びサーフボード並びに実施例に係るサーフボードの例を用いて、本発明を説明する。なお、本発明は、以後に説明する補助フィン等以外でも、サーフボードの運動性能を向上するためにサーフボードのフィンに取り付けるもの（フィルム、部材、部品、装置、機械など）であれば、いずれのものにも用いることができる。また、本発明は、以後に説明するサーフボード以外でも、例えばロングボード、ショートボード、ファンボード、ミニタンカー、ボディーボード、パドルボード、又は、その他ボード（波乗り板など）に利用してもよい。
【００１０】
下記に示す順序で、本発明を説明する。
１．サーフボード（フィン、補助フィン）の構成
２．補助フィンをフィンに取り付ける方法
３．実施例
【００１１】
（１．サーフボード（フィン、補助フィン）の構成）
図１及び図２を用いて、本発明の実施形態に係るサーフボード、サーフボード用のフィン及びフィンに取り付ける補助フィンの構成を説明する。ここで、図１は、本発明の実施形態に係るサーフボード１００の一例を示す概略外観図である。図２は、本発明の実施形態に係る補助フィン１１を取り付けたフィン１０の一例を説明する拡大図である。なお、図１に示すサーフボード等は一例であり、本発明は図１等に示すサーフボード等に限定されるものではない。
【００１２】
図１に示すように、サーフボード１００は、サーフィンに使う長円形の板（波乗り板など）である。サーフボード１００は、例えば木製のストリンガーを埋め込まれたフォームコア、ウレタンフォームコアから成る略長円形の成形体の表面に、ガラス繊維クロスなどの強化プラスチックの外皮を配置して形成される。また、サーフボード１００は、その外皮の水流抵抗を軽減するために、その外皮表面を研磨処理される。更に、サーフボード１００は、波乗り時（以下、「使用時」という。）に、滑り止めのため、外皮表面にワックスなどを塗布する場合がある。
【００１３】
サーフボード１００は、使用時の運動性能の向上を図るために、接水面（裏面）にフィン１０を取り付けられている。サーフボード１００は、例えば接水面の後部面域に１個又は複数個のフィンを取り付けてもよい。フィン１０は、サーフボードと同様に構成されたもの、ガラス繊維クロスの代わりにカーボン繊維クロスの強化プラスチックを外皮としたものなどがある。
【００１４】
図２に示すように、本発明に係るフィン１０は、ベース近傍（サーフボード１００の接水面側の近傍）に補助フィン１１を更に有する。補助フィン１１は、ポリエステル樹脂、ポリアミド樹脂、ポリエチレン樹脂、ポリプロピレン樹脂、ポリアクリレート樹脂、ポリカーボネート樹脂、ＡＢＳ樹脂、フッ素樹脂及び／又はポリ塩化ビニル樹脂のフィルムを用いることができる。なお、これらの樹脂は、機械的強度、耐水性、耐候性、耐久性、耐衝撃性などに優れている。
【００１５】
また、補助フィン１１は、水流に対応するために強靭且つ柔軟な厚さとすることができる。補助フィン１１は、例えば厚さ０．１ｍｍから５ｍｍの間のフィルム形状であってもよい。これにより、補助フィン１１を備えたフィンは、全体が硬質なフィンと比較して、水流の抵抗を減少することができる。補助フィン１１を備えたフィンは、補助フィン１１の変形によって水流の抵抗を分散することができるので、特に水の抵抗が一方向から過大に生じることを低減することができる。
【００１６】
更に、本発明に係るフィン１０は、透明フィルム、美麗に着色したもの、又は、その表面に文字やデザインを施したものなどであってもよい。これにより、本発明に係るフィン１０は、従来のサーフボードと比較して、運動性能の向上とともに、デザインなどの意匠効果を楽しむことができる。また、本発明に係るフィン１０は、その表面を文字やデザイン（図案、絵画、模様など）を施した商品の宣伝、広告などに利用することができる。
【００１７】
図３（ａ）を用いて、本発明に係る補助フィンの形状を具体的に説明する。図３（ａ）に示すように、本発明に係る補助フィン１１ａのベース幅ｗｓは、本実施形態では、フィン１０ａのベース幅ｗｆに対して３０％から７０％である。本発明に係る補助フィン１１ａの高さｈｓは、本実施形態では、フィン１０ａの高さｈｆに対して３０％から５０％である。なお、本発明に係る補助フィンの形状は、図３（ａ）に示すものに限定されるものではない。
【００１８】
（２．補助フィンをフィンに取り付ける方法）
図３を用いて、本発明に係る補助フィンをサーフボードのフィンに取り付ける方法の例を説明する。ここで、図３（ａ）は、本発明の実施形態に係る補助フィン１１ａの取り付け方法の一例を説明する説明図である。図３（ｂ）は、本発明の実施形態に係る補助フィン１１ｂの取り付け方法の一例を説明する説明図である。なお、図３に示す補助フィンを取り付ける方法は一例であり、本発明は図３に示す方法に限定されるものではない。
【００１９】
図３（ａ）に示すように、補助フィン１１ａは、接着剤若しくは貼着剤を介して、フィン部材１０ｓのベース近傍に固定（配置）される。ここで、接着剤や貼着剤は、例えばアクリル系接着剤、アクリル系粘着剤などを用いることができる。また、補助フィン１１ａは、複数のフィン部材１０ｓを積層して製造されるフィンの場合に、複数のフィン部材１０ｓの間隙に挟み込んで固定してもよい。
【００２０】
図３（ｂ）に示すように、補助フィン１１ｂは、フィン部材と一体的に成形してもよい。具体的には、補助フィン１１ｂは、サーフボードの製造と同様に、例えばフォームコアの表面に強化プラスチックの外皮を配置して形成してもよい。
【００２１】
以上のとおり、本発明に係るサーフボードによれば、フィンに補助フィン（例えば図１の１１）を取り付けることによって、使用時に水流抵抗を低減することができるので、従来のサーフボードと比較して、サーフボードのスピードの向上及び方向転換の敏捷性の向上などの運動性能を向上することができる。また、本発明に係るサーフボードのフィンによれば、補助フィンを更に備えることによって、従来のサーフボードと比較してスピード及び方向転換などの運動性能を向上したサーフボードを容易に、且つ、経済的に製造することができる。更に、サーファーの製造者、販売者或いはサーファーなどの需要者は、フィンに補助フィンを取り付けることによって、趣味性や所望の目的に利用する効果を有する所望のサーフボードを構成することができる。
【実施例】
【００２２】
図４を用いて、実施例に係るサーフボードを説明する。ここで、図４は、本発明の実施例に係る補助フィン１１ｃを取り付けたサーフボード１１０の一例を説明する説明図である。なお、本発明は、以後に説明するサーフボード以外でも、サーフボードの運動性能を向上するためにサーフボードのフィンに補助フィン（フィルム、部材、部品など）を取り付けるものであれば、いずれのものにも用いることができる。
【００２３】
図４に示すように、本実施例に係るサーフボード１１０は、サーフボードの接水面の後部面域に４つのフィン１０ｃを備える。また、本実施例に係るサーフボード１１０は、４つのフィン１０ｃのうち、２つのフィンに補助フィン１１ｃを取り付けている。補助フィン１１ｃは、本実施例では、フィンの両側面を挟み込んだ状態で貼り付けられている。本実施例に係るサーフボードによれば、２つにフィンに補助フィンを取り付けることによって、本発明の実施形態に係るサーフボード（前述）と同等の効果が得られる。
【００２４】
以上のとおり、本発明に係る実施形態及び実施例について説明したが、本発明は上記の実施形態及び実施例に限定されるものではない。すなわち、本発明は、特許請求の範囲に記載の内容に基づいて、様々に変形、変更又はその他任意に改変され得る。
【符号の説明】
【００２５】
１００，１１０  ：  サーフボード
１０，１０ａ，１０ｂ，１０ｃ  ：  フィン
１０ｓ：  フィン部材
１１，１１ａ，１１ｂ，１１ｃ  ：  補助フィン
ｗｆ  ：  フィンのベース幅
ｗｓ  ：  補助フィンのベース幅
ｈｆ  ：  フィンの高さ
ｈｓ  ：  補助フィンの高さ
【図１】
2016124417.tif 000003
【図２】
2016124417.tif 000004
【図３】
2016124417.tif 000005
【図４】
2016124417.tif 000006